(57)【特許請求の範囲】
【請求項１】
建物の構造躯体の前面に配された複数の下地用板材の前面に、複数の装飾用外装材を配
設するに当たり、上記装飾用外装材を上記下地用板材に留め付けるための留め付け金具で
あって、
該留め付け金具は、上記下地用板材に後面を当接するための基板部と、該基板部から前
方に立設され上側の上記装飾用外装材の下辺を支承するための支承部と、該支承部の前端
から上方へ屈曲し上側の上記装飾用外装材の下辺を係止するための上板係止部と、上記支
承部の前端から下方へ屈曲し下側の上記装飾用外装材の上辺を係止するための下板係止部
とを有し、
上記基板部は、上記支承部よりも上方において、該支承部からの距離が互いに異なる第
１ビス孔及び第２ビス孔を設けてなり、
上記基板部のうち上記支承部から遠い方の上記第１ビス孔が形成された第１基板部と、
上記支承部に近い方の上記第２ビス孔が形成された第２基板部とは、互いに鈍角をなして
おり、
上記第１基板部は、上記第２基板部に対して、上方へ行くほど後退するように傾斜して
いて、
上記第１ビス孔又は上記第２ビス孔のどちらかにビスを挿通し、上記留め付け金具を上記
下地用板材に固定したとき、上記第１基板部の上端と上記第２基板部の下端とを上記下地
用板材に確実に当接させることができる
ことを特徴とする留め付け金具。
【請求項２】
建物の構造躯体の前面に配された複数の下地用板材の前面に、複数の装飾用外装材を配
設するに当たり、上記装飾用外装材を上記下地用板材に留め付けるための留め付け金具で
あって、
該留め付け金具は、上記下地用板材に後面を当接するための基板部と、該基板部から前
方に立設され上側の上記装飾用外装材の下辺を支承するための支承部と、該支承部の前端
から上方へ屈曲し上側の上記装飾用外装材の下辺を係止するための上板係止部と、上記支
承部の前端から下方へ屈曲し下側の上記装飾用外装材の上辺を係止するための下板係止部
とを有し、
上記基板部は、上記支承部よりも上方において、該支承部からの距離が互いに異なる第
１ビス孔及び第２ビス孔を設けてなると共に、上記基板部の上端及び下端が他の部分より
も後方に位置するように上下方向に湾曲していて、
上記第１ビス孔又は上記第２ビス孔のどちらかにビスを挿通し、上記留め付け金具を上記
下地用板材に固定したとき、上記基板部の上端と下端とを上記下地用板材に確実に当接さ
せることができる
ことを特徴とする留め付け金具。
【請求項３】
請求項１又は２において、上記基板部は、該基板部から前方へ向かって突出したバネ部
を有し、上記装飾用外装材の裏側面に当接して上記装飾用外装材を前方へ押圧することが
できるよう構成されていることを特徴とする留め付け金具。
【請求項４】
請求項１〜３のいずれか一項において、上記基板部は、上下方向に形成されたリブを有
することを特徴とする留め付け金具。
【請求項５】
建物の構造躯体の前面に配された複数の下地用板材と、該下地用板材の前面に固定した
複数の留め付け金具と、該留め付け金具によって上記下地用板材に留め付けられた複数の
装飾用外装材とを有し、
上記留め付け金具は、上記下地用板材に後面を当接する基板部と、該基板部から前方に
立設され上側の上記装飾用外装材の下辺を支承する支承部と、該支承部の前端から上方へ
屈曲し上側の上記装飾用外装材の下辺を係止する上板係止部と、上記支承部の前端から下
方へ屈曲し下側の上記装飾用外装材の上辺を係止する下板係止部とを有し、
上記基板部は、上記支承部よりも上方において、該支承部からの距離が互いに異なる第
１ビス孔及び第２ビス孔を設けてなり、
上記基板部のうち上記支承部から遠い方の上記第１ビス孔が形成された第１基板部と、
上記支承部に近い方の上記第２ビス孔が形成された第２基板部とは、互いに鈍角をなして
おり、
上記第１基板部は、上記第２基板部に対して、上方へ行くほど後退するように傾斜して
おり、
上記第１ビス孔又は上記第２ビス孔のどちらかにビスを挿通し、上記留め付け金具を上記
下地用板材に固定したとき、上記第１基板部の上端と上記第２基板部の下端とを上記下地
用板材に確実に当接させることができ、
上記留め付け金具は、上記第１ビス孔と上記第２ビス孔とのいずれかにビスを挿通する
と共に該ビスを上記下地用板材にねじ込むことにより、上記下地用板材に固定されている
ことを特徴とする外壁施工構造。
【請求項６】
建物の構造躯体の前面に配された複数の下地用板材と、該下地用板材の前面に固定した
複数の留め付け金具と、該留め付け金具によって上記下地用板材に留め付けられた複数の
装飾用外装材とを有し、
上記留め付け金具は、上記下地用板材に後面を当接する基板部と、該基板部から前方に
立設され上側の上記装飾用外装材の下辺を支承する支承部と、該支承部の前端から上方へ
屈曲し上側の上記装飾用外装材の下辺を係止する上板係止部と、上記支承部の前端から下
方へ屈曲し下側の上記装飾用外装材の上辺を係止する下板係止部とを有し、
上記基板部は、上記支承部よりも上方において、該支承部からの距離が互いに異なる第
１ビス孔及び第２ビス孔を設けてなると共に、上記基板部の上端及び下端が他の部分より
も後方に位置するように上下方向に湾曲していて、
上記第１ビス孔又は上記第２ビス孔のどちらかにビスを挿通し、上記留め付け金具を上記
下地用板材に固定したとき、上記基板部の上端と下端とを上記下地用板材に確実に当接さ
せることができる
ことを特徴とする外壁施工構造。
【請求項７】
請求項５又は６において、上記装飾用外装材は、その上辺及び下辺において、上記上板
係止部及び上記下板係止部に係合するための係合溝を有し、上記装飾用外装材の意匠面と
上記係合溝の後面との間の前後位置関係は、隣り合う上記装飾用外装材の間において同一
であり、上記留め付け金具は、上記基板部から前方へ向かって突出したバネ部を有し、該
バネ部は、前方へ付勢された状態で上記装飾用外装材の裏側面に当接することにより、上
記装飾用外装材を前方へ押圧していることを特徴とする外壁施工構造。
【発明の詳細な説明】
【技術分野】
【０００１】
本発明は、建物の構造躯体の前面に配された下地用板材の前面に装飾用外装材を留め付けるための留め付け金具、及びこれを用いて構築する外壁施工構造に関する。
【背景技術】
【０００２】
従来より、建物の構造躯体の前面に配された下地材に留め付け金具を留め付けると共に、該留め付け金具により複数の外壁板を係止してなる外壁施工構造がある（例えば、特許文献１参照）。
また、図１４に示すごとく、構造躯体９３の前面に配された下地用板材９５の前面に、装飾用外装材９６を配設してなる外壁施工構造９７がある。
【０００３】
該外壁施工構造９７は、図１４に示すごとく、構造躯体９３の前面に配設された下地用板材９５と、該下地用板材９５の前面に固定された留め付け金具９１と、該留め付け金具９１に係止された装飾用外装材９６とよりなる。
上記留め付け金具９１は、基板部９１０と支承部９１３とを有し、基板部９１０に設けられたビス孔９２０にビス９２を挿通して下地用板材９５に固定されている。
【０００４】
そして、上記外壁施工構造９７においては、下地用板材９５に、防水性能等の外壁施工構造としての諸機能を持たせることができるため、装飾用外装材９６の機能を装飾機能のみに特化することができる。その結果、装飾用外装材９６を軽量化することが可能となるため、留め付け金具９１は、薄型化された低コストなものを使用することができる。
【０００５】
ここで、下地用板材９５の端部９５０の上下位置と略同等の上下位置にある留め付け金具９１にビス９２が挿通された場合には、下地用板材９５において強度が比較的小さい部分である端部９５０にビス９２をねじ込むこととなるため、端部９５０に亀裂又は破損等が生じるおそれがある。その結果、充分な強度を有する外壁施工構造９７を得ることが困難となるおそれがある。
【０００６】
これに対して、端部９５０とビス孔９２０との間の距離を充分に確保するために複数のビス孔９２０を上下方向に離隔配置して、端部９５０から遠い方のビス孔９２０にビス９２を挿通することができるよう留め付け金具９１を構成することが考えられる。
しかしながら、この場合には、基板部９１０の上下方向の長さが大きくなるため、支承部９１３から遠い方のビス孔９２０においてビス９２を固定すると、支点となるビス孔９２０部分と、作用点となる支承部９１３との距離が長くなってしまう。これにより、基板部９１０に曲げ応力が加わったとき変形してしまうおそれがある。
【０００７】
特に、留め付け金具９１は、上述のごとく薄型化されているため、基板部９１０の曲げ強度が小さくなり、装飾用外装材９６を支承した場合、基板部９１０の下端９１２が前方に屈曲してしまうおそれがある。その結果、装飾用外装材９６も下地用板材９５に対して傾斜してしまうため、上記装飾用外装材９６の意匠面９６０が揃わず、外観意匠性を損ねてしまうおそれがある。
【０００８】
【特許文献１】特開２００５−１３３５０４号公報
【発明の開示】
【発明が解決しようとする課題】
【０００９】
本発明は、かかる従来の問題点に鑑みてなされたもので、装飾用外装材の留め付け強度に優れると共に、外観意匠性に優れた外壁面を構築することができる留め付け金具及び外壁施工構造を提供しようとするものである。
【課題を解決するための手段】
【００１０】
第１の発明は、建物の構造躯体の前面に配された複数の下地用板材の前面に、複数の装飾用外装材を配設するに当たり、上記装飾用外装材を上記下地用板材に留め付けるための留め付け金具であって、
該留め付け金具は、上記下地用板材に後面を当接するための基板部と、該基板部から前方に立設され上側の上記装飾用外装材の下辺を支承するための支承部と、該支承部の前端から上方へ屈曲し上側の上記装飾用外装材の下辺を係止するための上板係止部と、上記支承部の前端から下方へ屈曲し下側の上記装飾用外装材の上辺を係止するための下板係止部とを有し、
上記基板部は、上記支承部よりも上方において、該支承部からの距離が互いに異なる第１ビス孔及び第２ビス孔を設けてなり、
上記基板部のうち上記支承部から遠い方の上記第１ビス孔が形成された第１基板部と、上記支承部に近い方の上記第２ビス孔が形成された第２基板部とは、互いに鈍角をなしており、
上記第１基板部は、上記第２基板部に対して、上方へ行くほど後退するように傾斜していることを特徴とする留め付け金具にある（請求項１）。
【００１１】
次に、本発明の作用効果につき説明する。
上記基板部は、上記支承部からの距離が互いに異なる上記第１ビス孔及び上記第２ビス孔を設けてなる。これにより、上記留め付け金具が上記下地用板材の上下接合部付近に配される場合に、上記第１ビス孔又は上記第２ビス孔のうち、上記下地用板材の端部から遠い方のビス孔にビスを挿通することができる。即ち、上記留め付け金具によれば、上記下地用板材の端部にビスをねじ込むことを回避することができるため、上記下地用板材に亀裂又は破損を生じることがなく、上記装飾用外装材の留め付け強度に優れた留め付け金具を得ることができる。
【００１２】
また、上記第１基板部は、上記第２基板部に対して、上方へ行くほど後退するように傾斜している。それ故、上記第１ビス孔又は上記第２ビス孔のどちらかにビスを挿通し、上記留め付け金具を上記下地用板材に固定したとき、上記第１基板部の上端と上記第２基板部の下端とを上記下地用板材に確実に当接させることができる。これにより、上記第２基板部に形成された上記上板係止部及び上記下板係止部は、確実に上記下地用板材の前面付近に保持されることとなる。
【００１３】
それ故、上記上板係止部又は上記下板係止部に係止された上記装飾用外装材の下辺及び上辺を、確実に上記下地用板材の前面付近に保持することができる。これにより、複数の上記装飾用外装材からなる外壁施工構造の意匠面にバラツキが生じることを防ぐことができ、外観意匠性に優れた外壁施工構造を構築することができる。
【００１４】
また、上記第１ビス孔にビスを挿通して下地用板材に上記留め付け金具を固定した場合において、該留付け金具に係止された上記装飾用外装材の上辺又は下辺によって上記第２基板部を前方へ引張る力が作用することがある。ところが、上記基板部は、上述のごとく、上記第１基板部が上記第２基板部に対して上方へ行くほど後退するように傾斜している。換言すると、上記第２基板部が上記第１基板部に対して下方へ行くほど後退するように傾斜している。
【００１５】
それ故、上記のように、上記第２基板部を前方へ引張る力が作用しても、上記第２基板部の下端が前方へ浮き上がるような形で屈曲することはない。その結果、上記第１ビス孔にビスを挿通して下地用板材に上記留め付け金具を固定した場合であっても、複数の上記装飾用外装材の意匠面にバラツキが生じることを防ぐことができる。
【００１６】
以上のごとく、本発明によれば、装飾用外装材の留め付け強度に優れると共に、外観意匠性に優れた外壁面を構築することができる留め付け金具を提供することができる。
【００１７】
第２の発明は、建物の構造躯体の前面に配された複数の下地用板材の前面に、複数の装飾用外装材を配設するに当たり、上記装飾用外装材を上記下地用板材に留め付けるための留め付け金具であって、
該留め付け金具は、上記下地用板材に後面を当接するための基板部と、該基板部から前方に立設され上側の上記装飾用外装材の下辺を支承するための支承部と、該支承部の前端から上方へ屈曲し上側の上記装飾用外装材の下辺を係止するための上板係止部と、上記支承部の前端から下方へ屈曲し下側の上記装飾用外装材の上辺を係止するための下板係止部とを有し、
上記基板部は、上記支承部よりも上方において、該支承部からの距離が互いに異なる第１ビス孔及び第２ビス孔を設けてなると共に、上記基板部の上端及び下端が他の部分よりも後方に位置するように上下方向に湾曲していることを特徴とする留め付け金具にある（請求項２）。
【００１８】
この場合にも、上記第１の発明（請求項１）と同様に、上記基板部が上記第１ビス孔と上記第２ビス孔とを有するため、上記下地用板材に亀裂又は破損を生じることがなく、上記装飾用外装材の留め付け強度に優れた留め付け金具を得ることができる。
また、上記基板部が、上記のごとく湾曲していることにより、上記第１の発明と同様に、複数の上記装飾用外装材からなる外壁施工構造の意匠面にバラツキが生じることを防ぐことができ、外観意匠性に優れた外壁施工構造を構築することができる。
また、上記第１ビス孔にビスを挿通して下地用板材に上記留め付け金具を固定した場合であっても、複数の上記装飾用外装材の意匠面にバラツキが生じることを防ぐことができる。
【００１９】
以上のごとく、本発明によれば、装飾用外装材の留め付け強度に優れると共に、外観意匠性に優れた外壁面を構築することができる留め付け金具を提供することができる。
【００２０】
第３の発明は、建物の構造躯体の前面に配された複数の下地用板材と、該下地用板材の前面に固定した複数の留め付け金具と、該留め付け金具によって上記下地用板材に留め付けられた複数の装飾用外装材とを有し、
上記留め付け金具は、上記下地用板材に後面を当接する基板部と、該基板部から前方に立設され上側の上記装飾用外装材の下辺を支承する支承部と、該支承部の前端から上方へ屈曲し上側の上記装飾用外装材の下辺を係止する上板係止部と、上記支承部の前端から下方へ屈曲し下側の上記装飾用外装材の上辺を係止する下板係止部とを有し、
上記基板部は、上記支承部よりも上方において、該支承部からの距離が互いに異なる第１ビス孔及び第２ビス孔を設けてなり、
上記基板部のうち上記支承部から遠い方の上記第１ビス孔が形成された第１基板部と、上記支承部に近い方の上記第２ビス孔が形成された第２基板部とは、互いに鈍角をなしており、
上記第１基板部は、上記第２基板部に対して、上方へ行くほど後退するように傾斜しており、
上記留め付け金具は、上記第１ビス孔と上記第２ビス孔とのいずれかにビスを挿通すると共に該ビスを上記下地用板材にねじ込むことにより、上記下地用板材に固定されていることを特徴とする外壁施工構造にある（請求項５）。
【００２１】
上記外壁施工構造における上記留め付け金具の上記基板部は、上記支承部からの距離が互いに異なる上記第１ビス孔及び上記第２ビス孔を設けてなる。これにより、上述したごとく、上記下地用板材の端部にビスをねじ込むことを回避することができる。そのため、上記下地用板材に亀裂又は破損を生じることがなく、上記装飾用外装材の留め付け強度に優れた上記外壁施工構造を得ることができる。
【００２２】
また、上記第１基板部は、上記第２基板部に対して、上方へ行くほど後退するように傾斜している。それ故、上記第１基板部の上端と上記第２基板部の下端とを上記下地用板材に確実に当接させることができる。そのため、上記上板係止部又は上記下板係止部に係止された上記装飾用外装材の下辺及び上辺を、確実に上記下地用板材の前面付近に保持することができる。これにより、複数の上記装飾用外装材からなる外壁施工構造の意匠面にバラツキが生じることを防ぐことができ、外観意匠性に優れた上記外壁施工構造を得ることができる。
【００２３】
また、上記第２基板部が上記第１基板部に対して下方へ行くほど後退するように傾斜しているため、上記第１ビス孔にビスを挿通して下地用板材に上記留め付け金具を固定した場合において、上記第２基板部を前方へ引張る力が作用しても、上記第２基板部の下端が前方へ浮き上がるような形で屈曲することはない。その結果、上記第１ビス孔にビスを挿通して下地用板材に上記留め付け金具を固定した場合であっても、複数の上記装飾用外装材の意匠面にバラツキが生じることを防ぐことができる。
【００２４】
以上のごとく、本発明によれば、装飾用外装材の留め付け強度に優れると共に、外観意匠性に優れた外壁施工構造を提供することができる。
【００２５】
第４の発明は、建物の構造躯体の前面に配された複数の下地用板材と、該下地用板材の前面に固定した複数の留め付け金具と、該留め付け金具によって上記下地用板材に留め付けられた複数の装飾用外装材とを有し、
上記留め付け金具は、上記下地用板材に後面を当接する基板部と、該基板部から前方に立設され上側の上記装飾用外装材の下辺を支承する支承部と、該支承部の前端から上方へ屈曲し上側の上記装飾用外装材の下辺を係止する上板係止部と、上記支承部の前端から下方へ屈曲し下側の上記装飾用外装材の上辺を係止する下板係止部とを有し、
上記基板部は、上記支承部よりも上方において、該支承部からの距離が互いに異なる第１ビス孔及び第２ビス孔を設けてなると共に、上記基板部の上端及び下端が他の部分よりも後方に位置するように上下方向に湾曲していることを特徴とする外壁施工構造にある（請求項６）。
【００２６】
この場合にも、上記第３の発明（請求項５）と同様に、上記下地用板材に亀裂又は破損を生じることがなく、上記装飾用外装材の留め付け強度に優れた上記外壁施工構造を得ることができる。
また、複数の上記装飾用外装材からなる外壁施工構造の意匠面にバラツキが生じることを防ぐことができ、外観意匠性に優れた上記外壁施工構造を得ることができる。
また、上記第１ビス孔にビスを挿通して下地用板材に上記留め付け金具を固定した場合であっても、複数の上記装飾用外装材の意匠面にバラツキが生じることを防ぐことができる。
【００２７】
以上のごとく、本発明によれば、装飾用外装材の留め付け強度に優れると共に、外観意匠性に優れた外壁施工構造を提供することができる。
【発明を実施するための最良の形態】
【００２８】
上記第１の発明（請求項１）及び上記第３の発明（請求項５）において、上記第１基板部と上記第２基板部とは、上記第１基板部の上端が、上記第２基板部を含む平面に対して、例えば、０．５〜１．５ｍｍ程度後方に位置するように、互いに傾斜させることができる。
上記基板部は、例えば、上記第１基板部と上記第２基板部との間で局部的に屈曲させてあっても良いし、円弧状に湾曲させてあっても良い。
【００２９】
また、上記第２の発明（請求項２）及び上記第４の発明（請求項６）において、上記基板部は、上記基板部の上端及び下端が、上記基板部において最も前方に位置する部分に対して、例えば、０．５ｍｍ〜１．５ｍｍ程度後方に位置するように、上下方向に湾曲させることができる。
【００３０】
また、上記第１の発明（請求項１）、上記第２の発明（請求項２）、上記第３の発明（請求項５）及び上記第４の発明（請求項６）において、上記第１ビス孔と上記第２ビス孔とは、上下方向において、例えば、３０〜５０ｍｍ程度離隔配置することができる。
また、上記留め付け金具の材料には、例えば、ステンレス鋼等を用いることができる。
また、上記留め付け金具は、上記基板部と上記支承部と上記上板係止部と上記下板係止部と上記第１ビス孔と上記第２ビス孔とを形成した後、例えば、上記基板部を折り曲げ加工することにより作製することができる。
【００３１】
また、上記装飾用外装材は、例えば、窯業系材料、セメント系材料等よりなるものを用いることができる。
また、上記外壁施工構造は、新築用、リフォーム用のどちらの場合においても構築することができる。
尚、本明細書においては、建物の外側を前方、その反対側を後方として説明する。また、各部材についても、建物の構造躯体に配設された状態を基準として、前、後、左、右、上、下として説明する。
【００３２】
また、上記第１の発明（請求項１）及び上記第２の発明（請求項２）において、上記基板部は、該基板部から前方へ向かって突出したバネ部を有し、上記装飾用外装材の裏側面に当接して上記装飾用外装材を前方へ押圧することができるよう構成されていることが好ましい（請求項３）。
この場合には、例えば、上記装飾用外装材に厚みバラツキがある場合においても、上記装飾用外装材の意匠面の前後位置を一定の位置に揃えることができるため、より一層外観意匠性に優れた外壁施工構造を構築することができる。
【００３３】
また、上記基板部は、上下方向に形成されたリブを有することが好ましい（請求項４）。
この場合には、上記リブによって、上記基板部の上下方向の曲げ強度を向上させることができる。
【００３４】
それ故、上記第１の発明（請求項１）における上記第１基板部と上記第２基板部とのなす角が変化したり、上記第２の発明（請求項２）における上記基板部の湾曲形状が変化したりすることを抑制することができる。それ故、上記基板部の下端が前方に浮くような形で屈曲することを充分に防ぐことができ、より一層外観意匠性に優れた外壁施工構造を構築することができる。
特に第１の発明の上記留め付け金具においては、上記リブを上記第１基板部と上記第２基板部との間にまたがるように形成することが好ましい。
【００３５】
また、上記第３の発明（請求項５）及び上記第４の発明（請求項６）において、上記装飾用外装材は、その上辺及び下辺において、上記下板係止部及び上記上板係止部に係合するための係合溝を有し、上記装飾用外装材の意匠面と上記係合溝の後面との間の前後位置関係は、隣り合う上記装飾用外装材の間において同一であり、上記留め付け金具は、上記基板部から前方へ向かって突出したバネ部を有し、該バネ部は、前方へ付勢された状態で上記装飾用外装材の裏側面に当接することにより、上記装飾用外装材を前方へ押圧していることが好ましい（請求項７）。
【００３６】
この場合には、上記装飾用外装材の意匠面の前後位置を一定の位置に揃えることができるため、より一層外観意匠性に優れた外壁施工構造を得ることができる。
即ち、上記バネ部によって上記装飾用外装材が前方へ押圧されることにより、上記係合溝の後面が上記留め付け金具の上記上板係止部又は上記下板係止部に当接する。そして、上記装飾用外装材の意匠面と上記係合溝の後面との間の前後位置関係は、隣り合う上記装飾用外装材の間において同一であるため、隣り合う装飾用外装材同士において、上記装飾用外装材の意匠面の前後位置が揃う。
【００３７】
ここで、上記係合溝の形成位置や上記意匠面の形成位置は、上記装飾用外装材の裏側面を基準に決定することができるが、上記装飾用外装材の反り変形や厚みバラツキ等により、隣り合う装飾用外装材同士の間で意匠面の前後位置がずれてしまうおそれがある。そのため、上述のごとく、上記バネ部によって係合溝の後面が基準となるようにすることで意匠面の前後位置を揃えることができる。
また、上記バネ部が前方へ付勢されることとなるため、上記留め付け金具により上記装飾用外装材を確実に係止することができる。
【実施例】
【００３８】
（実施例１）
本発明の実施例にかかる留め付け金具及びこれを用いて構築した外壁施工構造７につき、図１〜図１０を用いて説明する。
尚、本例の外壁施工構造７は、新築用として構築したものであるが、リフォーム用として構築することもできる。
【００３９】
本例の外壁施工構造７は、図１、図２に示すごとく、建物の構造躯体３の前面に配された複数の下地用板材５と、該下地用板材５の前面に固定した複数の留め付け金具１と、該留め付け金具１によって下地用板材５に留め付けられた複数の装飾用外装材６とを有する。
【００４０】
また、留め付け金具１は、図１〜図５に示すごとく、下地用板材５に後面を当接する基板部１０と、該基板部１０から前方に立設され上側の装飾用外装材６の下辺を支承する支承部１３と、該支承部１３の前端から上方へ屈曲し上側の装飾用外装材６の下辺を係止する上板係止部１３１と、支承部１３の前端から下方へ屈曲し下側の装飾用外装材６の上辺を係止する下板係止部１３２とを有する。
【００４１】
また、基板部１０は、図３に示すごとく、支承部１３よりも上方において、該支承部１３からの距離が互いに異なる第１ビス孔１１０及び第２ビス孔１２０を設けてなる。本例においては、第１ビス孔１１０と第２ビス孔１２０とは、上下方向において、３０〜５０ｍｍ程度離隔配置してある。
また、図９に示すごとく、基板部１０のうち支承部１３から遠い方の第１ビス孔１１０が形成された第１基板部１１と、支承部１３に近い方の第２ビス孔１２０が形成された第２基板部１２とは、互いに１７６〜１７８°程度の鈍角をなしている。
【００４２】
また、第１基板部１１と第２基板部１２とは、図１、図５、図９に示すごとく、第１基板部１１が、第２基板部１２に対して、上方へ行くほど後退するように、互いに傾斜している。本例において、図９に示すごとく、第１基板部１１の上端１１１が、第２基板部１２を含む平面に対して後退している距離ｄは、０．５〜２ｍｍである。
また、留め付け金具１は、第１ビス孔１１０又は第２ビス孔１２０のいずれかにビス２を挿通すると共に該ビス２を下地用板材５にねじ込むことにより、下地用板材５に固定されている。
【００４３】
また、第１ビス孔１１０及び第２ビス孔１２０は、それぞれ、左右に３個ずつ形成されている。
また、第２基板部１２の一部には、図２、図３、図５に示すごとく、ビス２のビス頭の厚み分以上に前方に隆起した前方隆起部１２２が形成されている。そして、該前方隆起部１２２には、前方へ向かって突出したバネ部１４が形成されている。該バネ部１４は、前方へ付勢された状態で装飾用外装材６の裏側面６１に当接することにより、装飾用外装材６を前方へ押圧している。
【００４４】
また、基板部１０は、図３〜図５に示すごとく、第１基板部１１と第２基板部１２との間にまたがって上下方向に形成されたリブ１５を有する。本例においては、４本のリブ１５が前方に突出するように形成されている。
また、本例では、留め付け金具１の材料には、０．８ｍｍの厚みを有するステンレス鋼板を用いている。
【００４５】
また、下地用板材５は、窯業系材料からなり、例えば、縦４５５ｍｍ、横３０３０ｍｍ、厚み１６ｍｍの寸法を有する。
また、装飾用外装材６は、窯業系材料からなる。そして、装飾用外装材６は、下地用板材５よりも縦横寸法は小さく、例えば、縦２２０ｍｍ、横４５５ｍｍ、厚み３５ｍｍの寸法を有する。
【００４６】
また、装飾用外装材６は、図１、図２に示すごとく、上辺部、下辺部、左辺部及び右辺部を除く中央部において裏側面６１に凹部６１０が形成されている。
また、装飾用外装材６は、図１に示すごとく、上板係止部１３１及び下板係止部１３２に係合するための係合溝６００を有する。そして、装飾用外装材６の意匠面６０と係合溝６００の後面６０１との間の前後位置関係は、隣り合う装飾用外装材６の間において同一となるよう構成されている。
【００４７】
次に、本例の外壁施工構造７の施工手順につき説明する。
まず、図６、図７、図１０に示すごとく、土台部７２において、Ｃ形鋼からなる構造躯体３に、土台水切７２２と防水紙４とを挟み込むようにして、下地用留め付け金具５００を前方から固定する。そして、下地用留め付け金具５００の上板係止部５０１に、下地用板材５の左右端部の下辺を係合させる。その後、図１０に示すごとく、該下地用板材５の上辺に、下地用留め付け金具５００を上方からスライドさせて配置すると共に、下板係止部５０２を下地用板材５の上辺に係合させる。そして、下地用留め付け金具５００のビス孔５０３にビス２を挿通して、構造躯体３に下地用板材５を留め付ける。
【００４８】
更に、図１、図２、図１０に示すごとく、下地用留め付け金具５００の上板係止部５０１に、配設する下地用板材５の下辺を係合させる。その後、図１０に示すごとく、該下地用板材５の上辺に、下地用留め付け金具５００を上方からスライドさせて配置すると共に、下板係止部５０２を下地用板材５の上辺に係合させる。そして、下地用留め付け金具５００のビス孔５０３にビス２を挿通して、構造躯体３に下地用板材５を留め付ける。上記作業を順次繰り返すことにより、中間部７１において下地用板材５を構造躯体３に留め付けることができる。
【００４９】
次に、下地用板材５の前面に装飾用外装材６を留め付ける。即ち、まず、図６、図７、図１０に示すごとく、最下段の下地用板材５の下端５１の前面にスタータ金具７２１を固定し、装飾用外装材６の左右端部の下辺の係合溝６００を、スタータ金具７２１の係止部７２０に係合させる。次いで、図１０に示すごとく、装飾用外装材６の上辺の裏側面６１の中央部に、留め付け金具１を上方からスライドさせて配置して、留め付け金具１の下板係止部１３２を装飾用外装材６の上辺の係合溝６００に係合させる。更に、留め付け金具１の第１ビス孔１１０又は第２ビス孔１２０のいずれかにビス２を挿通して、下地用板材５に装飾用外装材６を留め付ける。
【００５０】
尚、本例では、図６に示すごとく、最下段の装飾用外装材６の下端部６２は、下地用板材５の下端部５１よりも５ｍｍ程度下方に配置してある。これにより、装飾用外装材６の下端部６２に水切としての機能を持たせることができるため、上方の装飾用外装材６の意匠面６０を伝って流れてきた雨水が、装飾用外装材６の後方に回り込むことを防ぐことができる。
【００５１】
更に、図１、図２、図１０に示すごとく、下方の装飾用外装材６を係止している留め付け金具１の上板係止部１３１に、装飾用外装材６の左右端部の下辺の係合溝６００を係合させる。次いで、図１０に示すごとく、装飾用外装材６の上辺の裏側面６１の中央部に、留め付け金具１を上方からスライドさせて配置して、留め付け金具１の下板係止部１３２を装飾用外装材６の上辺の係合溝６００に係合させる。そして、留め付け金具１の第１ビス孔１１０又は第２ビス孔１２０のいずれかにビス２を挿通して、下地用板材５に装飾用外装材６を留め付ける。
上記作業を順次繰り返すことにより、複数の装飾用外装材６を下地用板材５に留め付けることができ、外壁施工構造７を構築することができる。
【００５２】
上記のごとく、留め付け金具１を用いて下地用板材５に複数の装飾用外装材６を留め付けていくと、留め付け金具１は、下地用板材５の様々な位置に固定されることとなる。これに伴い、留め付け金具１を下地用板材５に固定するに当たっては、図８に示すごとく、下地用板材５に対する留め付け金具１の位置によって利用するビス孔が異なる。
即ち、図８（ａ）に示すごとく、留め付け金具１の上下位置と、下地用板材５の端部５０の上下位置とが充分に離れている場合には、第１ビス孔１１０にビス２を挿通することも可能であるが、留め付け強度の観点から第２ビス孔１２０に挿通する方が好ましい。
【００５３】
次に、図８（ｂ）に示すごとく、第１ビス孔１１０が下地用板材５の端部５０に配置されてしまう場合には、第１ビス孔１１０からビス２をねじ込むと、下地用板材５の端部５０に亀裂や破損が生じるおそれがある。この場合には、第２ビス孔１２０からビス２をねじ込むことにより、下地用板材５の端部５０に亀裂や破損が生じるという不具合を回避することができる。
【００５４】
一方、図８（ｃ）に示すごとく、第２ビス孔１２０が下地用板材５の端部５０に配置されてしまう場合には、第１ビス孔１１０からビス２をねじ込めば、下地用板材５の端部５０に亀裂や破損が生じるという不具合を回避することができる。
また、図８（ｄ）に示すごとく、下地用板材５の左右端部付近に留め付け金具１を配設する場合においては、亀裂や破損が生じ易い下地用板材５の左右端部から最も離れている第１ビス孔１１０又は第２ビス孔１２０にビス２を挿通すれば良い。本例では、右端の第２ビス孔１２０にビス２を挿通している。
【００５５】
尚、図８におけるハッチング部分は、下地用板材５の端部５０であって、亀裂や破損が生じ易い範囲を示したものである。この端部５０は、例えば、以下のような範囲として規定される。即ち、図１に示すごとく、前方から見たときの上下に隣り合う下地用板材５の上下接合部５２を基準として、下方１０ｍｍの位置から上方３０ｍｍの位置までの範囲とすることができる。
【００５６】
次に、本例の作用効果につき説明する。
基板部１０は、図１〜図３に示すごとく、支承部１３からの距離が互いに異なる第１ビス孔１１０及び第２ビス孔１２０を設けてなる。これにより、留め付け金具１が下地用板材５の上下接合部５２付近に配される場合に、第１ビス孔１１０又は第２ビス孔１２０のうち、下地用板材５の端部５０から遠い方のビス孔にビスを挿通することができる。即ち、留め付け金具１によれば、下地用板材５の端部５０にビス２をねじ込むことを回避することができるため、下地用板材５に亀裂又は破損を生じることがなく、装飾用外装材６の留め付け強度に優れた外壁施工構造７を得ることができる。
【００５７】
また、第１基板部１１は、図１に示すごとく、第２基板部１２に対して、上方へ行くほど後退するように傾斜している。それ故、第１ビス孔１１０又は第２ビス孔１２０のどちらかにビスを挿通し、留め付け金具１を下地用板材５に固定したとき、第１基板部１１の上端１１１と第２基板部１２の下端１２１とを下地用板材５に確実に当接させることができる。これにより、第２基板部１２に形成された上板係止部１３１及び下板係止部１３２は、確実に下地用板材５の前面付近に保持されることとなる。
【００５８】
それ故、図１に示すごとく、上板係止部１３１又は下板係止部１３２に係止された装飾用外装材６の下辺及び上辺を、確実に下地用板材５の前面付近に保持することができる。これにより、複数の装飾用外装材６からなる外壁施工構造７の意匠面６０にバラツキが生じることを防ぐことができ、外観意匠性に優れた外壁施工構造７を得ることができる。
【００５９】
また、第１ビス孔１１０にビス２を挿通して下地用板材５に留め付け金具１を固定した場合において、該留付け金具１に係止された装飾用外装材６の上辺又は下辺によって第２基板部１２を前方へ引張る力が作用することがある。ところが、基板部１０は、上述のごとく、第１基板部１１が第２基板部１２に対して上方へ行くほど後退するように傾斜している。換言すると、第２基板部１２が第１基板部１１に対して下方へ行くほど後退するように傾斜している。
【００６０】
それ故、上記のように、第２基板部１２を前方へ引張る力が作用しても、第２基板部１２の下端１２１が前方へ浮き上がるような形で屈曲することはない。その結果、第１ビス孔１１０にビス２を挿通して下地用板材５に留め付け金具１を固定した場合であっても、複数の装飾用外装材６の意匠面６０にバラツキが生じることを防ぐことができる。
【００６１】
また、基板部１０は、図１〜図５に示すごとく、第１基板部１１と第２基板部１２との間にまたがって上下方向に形成されたリブ１５を有するため、より一層外観意匠性に優れた外壁施工構造７を得ることができる。即ち、リブ１５によって基板部１０の上下方向の曲げ強度を向上させることができる。これにより、留め付け金具１によって装飾用外装材６を支承した場合においても、第１基板部１１と第２基板部１２とのなす角が変化することを抑制することができる。それ故、第２基板部１２の下端１２１が前方に浮くような形で屈曲することを充分に防ぐことができるため、より一層外観意匠性に優れた外壁施工構造７を得ることができる。
【００６２】
また、留め付け金具１は、図１〜図５に示すごとく、基板部１０から前方へ向かって突出したバネ部１４を有し、該バネ部１４は、前方へ付勢された状態で装飾用外装材６の裏側面６１に当接することにより、装飾用外装材６を前方へ押圧している。これにより、装飾用外装材６の意匠面６０の前後位置を一定の位置に揃えることができ、より一層外観意匠性に優れた外壁施工構造７を得ることができる。
【００６３】
即ち、図１に示すごとく、バネ部１４によって装飾用外装材６が前方へ押圧されることにより、係合溝６００の後面６０１が留め付け金具１の上板係止部１３１又は下板係止部１３２に当接する。そして、装飾用外装材６の意匠面６０と係合溝６００の後面６０１との間の前後位置関係は、隣り合う装飾用外装材６の間において同一であるため、隣り合う装飾用外装材６同士において、装飾用外装材６の意匠面６０の前後位置が揃う。
【００６４】
ここで、係合溝６００の形成位置や意匠面６０の形成位置は、装飾用外装材６の裏側面６１を基準に決定することができるが、装飾用外装材６の反り変形や厚みバラツキ等により、隣り合う装飾用外装材６同士の間で意匠面６０の前後位置がずれてしまうおそれがある。そのため、上述のごとく、バネ部１４によって係合溝６００の後面６０１が基準となるようにすることで意匠面６０の前後位置を揃えることができる。
また、バネ部１４が前方へ付勢されることとなるため、留め付け金具１に装飾用外装材６をより確実に係止することができる。
【００６５】
以上のごとく、本例によれば、装飾用外装材の留め付け強度に優れると共に、外観意匠性に優れた外壁面を構築することができる留め付け金具、及びこれを用いた外壁施工構造を得ることができる。
【００６６】
（実施例２）
本例は、図１１に示すごとく、基板部１０の上端１１１及び下端１２１が、基板部１０の他の部分よりも後方に位置するように、基板部１０が上下方向に円弧状に湾曲している留め付け金具１の例である。本例においては、基板部１０の上端１１１及び下端１２１は、基板部１０において最も前方に位置している部分よりも、０．５〜１．５ｍｍ程度後方に位置している。
その他は、実施例１と同様である。
【００６７】
本例の場合には、基板部１０が、上記のごとく湾曲していることにより、実施例１と同様に、複数の装飾用外装材６からなる外壁施工構造７の意匠面６０にバラツキが生じることを防ぐことができ、外観意匠性に優れた外壁施工構造７を構築することができる。
また、第１ビス孔１１０にビス２を挿通して下地用板材５に留め付け金具１を固定した場合であっても、複数の装飾用外装材６の意匠面６０にバラツキが生じることを防ぐことができる。
その他、実施例１と同様の作用効果を有する。
【００６８】
（比較例）
本比較例は、図１２、図１３に示すごとく、第１ビス孔８１０を設けた第１基板部８１と第２ビス孔８２０を設けた第２基板部８２とが互いに傾斜することなく、平板状となっている留め付け金具８０の例である。
その他は、実施例１と同様である。
【００６９】
本例の留め付け金具８０を用いて装飾用外装材６を下地用板材５に留め付ける場合には、施工の仕方や下地用板材５の状態によっては、留め付け金具８０の上端及び下端を下地用板材５の前面に確実に当接させることができない場合がある。そのため、上板係止部８３１又は下板係止部８３２に係止された装飾用外装材６の下辺又は上辺が下地用板材５の前面から前方へ浮いてしまうおそれがある。
【００７０】
特に、図１２、図１３に示すごとく、支承部８３から遠いほうの第１ビス孔８１０にビス２を挿通して留め付け金具８０を下地用板材５に固定する場合、留め付け金具８０の上板係止部８３１及び下板係止部８３２を前方へ引張る力が作用すると、第２基板部８２の下端８２１が前方へ浮き上がるような状態となることも考えられる。その結果、装飾用外装材６の上辺や下辺が前方へ浮き上がってしまうおそれがある。
【００７１】
これにより、図１２に示すごとく、隣り合う装飾用外装材６同士の意匠面６０の前後位置が揃わずバラツキが生じるため、外壁施工構造８の外観意匠性が低下してしまうおそれがある。
これに対し、本発明の外壁施工構造７によれば、上述したごとく、装飾用外装材６の意匠面６０の前後位置がずれることを防止し、外観意匠性に優れた外壁面を構築することができる。
【図面の簡単な説明】
【００７２】
【図１】実施例１における、外壁施工構造の断面説明図。
【図２】実施例１における、外壁施工構造の斜視説明図。
【図３】実施例１における、留め付け金具の正面図。
【図４】実施例１における、留め付け金具の上面図。
【図５】実施例１における、留め付け金具の側面図。
【図６】実施例１における、土台部における外壁施工構造の断面説明図。
【図７】実施例１における、土台部における外壁施工構造の斜視説明図。
【図８】実施例１における、（ａ）第１ビス孔及び第２ビス孔が下地用板材の端部と離れている場合のビスの固定方法を示す説明図、（ｂ）第１ビス孔が下地用板材の端部付近に配置される場合のビスの固定方法を示す説明図、（ｃ）第２ビス孔が下地用板材の端部付近に配置される場合のビスの固定方法を示す説明図、（ｄ）留め付け金具が下地用板材の左右端部付近に配置される場合のビスの固定方法を示す説明図。
【図９】実施例１における、留め付け金具の形態を示す断面模式図。
【図１０】実施例１における、外壁施工構造の構成を示す説明図。
【図１１】実施例２における、留め付け金具の形態を示す断面模式図。
【図１２】比較例における、外壁施工構造の断面説明図。
【図１３】比較例における、留め付け金具の断面説明図。
【図１４】従来例における、外壁施工構造の断面説明図。
【符号の説明】
【００７３】
１  留め付け金具
１０  基板部
１１  第１基板部
１１０  第１ビス孔
１２  第２基板部
１２０  第２ビス孔
１３  支承部
１３１  上板係止部
１３２  下板係止部
５  下地用板材
６  装飾用外装材
【図１】
0004700455.tif 000002
【図２】
0004700455.tif 000003
【図３】
0004700455.tif 000004
【図４】
0004700455.tif 000005
【図５】
0004700455.tif 000006
【図６】
0004700455.tif 000007
【図７】
0004700455.tif 000008
【図８】
0004700455.tif 000009
【図９】
0004700455.tif 000010
【図１０】
0004700455.tif 000011
【図１１】
0004700455.tif 000012
【図１２】
0004700455.tif 000013
【図１３】
0004700455.tif 000014
【図１４】
0004700455.tif 000015